(57)【特許請求の範囲】
【請求項１】
筐体と、熱源と、温度センサーと、該温度センサーにより検知される温度を表示する温度表示器とを備えており、
前記筐体は、側面部、底面部及び頂面部を有し、前記側面部に沿って塗装板を支持するための複数の塗装板支持部が設けられており、
前記筐体の側面部には前記塗装板支持部に対応して窓が形成されており、
前記複数の塗装板支持部は、前記筐体の上下方向中心軸に関して３回以上の回転対称な位置に前記塗装板またはそのダミー板を配置するものであって、前記筐体の頂面部から側面部にかけて形成されたスリットを介して上方から前記塗装板またはそのダミー板が挿入され、前記塗装板支持部に前記塗装板またはそのダミー板が挿入されることで前記窓が閉じられ、
前記熱源は、前記筐体の底面部または頂面部により支持されて前記筐体内にて前記上下方向中心軸上に配置され、
前記温度センサーは、前記塗装板支持部により支持された各塗装板の外側に配置されることを特徴とする、塗膜の遮熱性能比較展示装置。
【請求項２】
前記温度センサーと前記温度表示器とは、前記スリットを介して延びている配線により接続されていることを特徴とする、請求項１に記載の塗膜の遮熱性能比較展示装置。
【請求項３】
前記塗装板支持部により支持された前記塗装板は前記窓を介して外側から視認可能であることを特徴とする、請求項１〜２のいずれか一項に記載の塗膜の遮熱性能比較展示装置。
【請求項４】
前記筐体は、水平断面の形状が正方形であり、該正方形の各辺に対応して前記塗装板支持部が配置されていることを特徴とする、請求項１〜３のいずれか一項に記載の塗膜の遮熱性能比較展示装置。
【請求項５】
前記筐体の頂面部には通気口が形成されていることを特徴とする、請求項１〜４のいずれか一項に記載の塗膜の遮熱性能比較展示装置。
【発明の詳細な説明】
【技術分野】
【０００１】
本発明は、塗膜の遮熱性能を比較展示する装置に関するものである。
【背景技術】
【０００２】
近年、エネルギーの有効利用の観点から、冷暖房効率の向上が要請されている。そのためには、建物を構成する床や内外壁や天井や屋根等の塗装に遮熱性の高い塗料（遮熱塗料）を使用することが好ましい。このようなエネルギー利用の効率化を推進することは、ひいては地球温暖化をもたらすといわれている二酸化炭素の発生量を抑制することに繋がる。
【０００３】
しかるに、このような遮熱塗装の使用の推進のためには、その意義につき建物施工主の理解を得ることが肝要である。熱的性能を示す科学的データたとえばカタログ値などに基づく建物施工主に対する説明は、遮熱性能を十分に実感することができないことから、説得力に乏しい。遮熱塗装の場合とそうでない一般塗装の場合とでの冷暖房コストの比較のためにも、建物施工主に遮熱性能を実感させることの意義は大きい。
【０００４】
そこで、遮熱性能を実感させることの可能な装置として、特開２００５−２４２５２号公報（特許文献１）には、持ち運び可能な箱型ケースの中身部と蓋部を略９０度に開き、蓋部最上部から水平に伸びる腕部により光源を保持することにより、中身部上部に水平に載置した遮熱塗膜塗装板を照射し、塗装板の裏側に取り付けた温度センサーと、これに接続した温度表示装置により温度の上昇及び飽和温度を測定することを特徴とする遮熱塗膜の評価装置、が提案されている。
【特許文献１】特開２００５−２４２５２号公報
【発明の開示】
【発明が解決しようとする課題】
【０００５】
しかして、特許文献１に記載の装置では、光源を開放状態にて維持し、該光源から離れた位置に遮熱塗膜塗装板を配置し、該塗装板の背後に配置した温度センサーにより温度を検知し表示するようにしている。従って、光源から発せられる熱の大部分は周囲環境へと散逸し、光源の発熱量のうちで実際に塗装板を加熱するのに利用される熱量の比率はかなり低い。また、一般塗膜塗装板と比較して遮熱塗膜塗装板の遮熱性能を実感させることが極めて好ましく、そのためには同時に同等の条件下で一般塗膜塗装板と遮熱塗膜塗装板との遮熱性能を比較展示することが求められるが、特許文献１の装置は、一般塗膜塗装板と遮熱塗膜塗装板とを光源に対して同等の光照射条件下に置くための構成を備えてはいない。
【０００６】
そこで、本発明は、熱効率が良好で、複数の塗装板の遮熱性能を容易に均等な条件で比較して展示することが可能で、構成が簡単な装置を提供することを目的とするものである。
【課題を解決するための手段】
【０００７】
本発明によれば、以上の如き目的を達成するものとして、
筐体と、熱源と、温度センサーと、該温度センサーにより検知される温度を表示する表示器とを備えており、
前記筐体は、側面部、底面部及び頂面部を有し、前記側面部に沿って塗装板を支持するための複数の塗装板支持部が設けられており、
該複数の塗装板支持部は、前記筐体の上下方向中心軸に関して３回以上の回転対称な位置のうちの少なくとも２つに前記塗装板を配置するものであり、
前記熱源は、前記筐体の底面部または頂面部により支持されて前記筐体内にて前記上下方向中心軸上に配置され、
前記温度センサーは、前記塗装板支持部により支持された各塗装板の外側に配置されることを特徴とする、塗膜の遮熱性能比較展示装置、
が提供される。
【０００８】
本発明の一態様においては、前記筐体は、水平断面の形状が正方形であり、該正方形の各辺に対応して前記塗装板支持部が配置されている。本発明の一態様においては、前記塗装板支持部は、前記筐体に形成されたスリットを介して前記塗装板を挿入するものである。本発明の一態様においては、前記筐体の側面部には前記塗装板支持部に対応して窓が形成されており、前記塗装板支持部により支持された前記塗装板は前記窓を介して外側から視認可能である。本発明の一態様においては、前記筐体の頂面部には通気口が形成されている。
【発明の効果】
【０００９】
本発明による塗膜の遮熱性能比較展示装置によれば、筐体の側面部に沿って塗装板を支持するための複数の塗装板支持部を設け、該複数の塗装板支持部により、前記筐体の上下方向中心軸に関して３回以上の回転対称な位置のうちの少なくとも２つに前記塗装板を配置し、前記熱源を前記筐体の底面部または頂面部により支持して前記筐体内にて前記上下方向中心軸上に配置し、前記温度センサーを前記塗装板支持部により支持された各塗装板の外側に配置するようにしたので、熱効率が良好で、複数の塗装板の遮熱性能を容易に均等な条件で比較して展示することが可能で、構成が簡単である。
【発明を実施するための最良の形態】
【００１０】
以下、本発明の実施の形態を説明する。
【００１１】
図１は、本発明による塗膜の遮熱性能比較展示装置の一実施形態を示す模式的斜視図であり、図２はその模式的縦断面図である。
【００１２】
本実施形態の遮熱性能比較展示装置は、筐体２と、熱源４と、温度センサー６と、該温度センサーにより検知される温度を表示する温度表示器８とを備えている。
【００１３】
筐体２は、大略直方体形状をなしており、側面部２１、底面部２２及び頂面部２３を有する。Ｘは、筐体２の上下方向中心軸を示す。筐体２には、側面部２１に沿って塗装板Ｐを支持するための塗装板支持部１０が設けられている。該塗装板支持部１０は、筐体２の上下方向中心軸Ｘに関して４回回転対称な位置のうちの４つに塗装板Ｐを配置するものである。各塗装板支持部１０は、筐体２に形成されたスリット２４を介して上方から塗装板Ｐを挿入するものである。筐体２は、水平断面の形状が正方形であり、該正方形の各辺に対応して塗装板支持部１０が配置されている。筐体２の側面部２１には各塗装板支持部１０に対応して窓２５が形成されている。かくして、塗装板支持部１０により支持された塗装板Ｐは窓２５を介して外側から視認可能である。筐体２の頂面部２３には、通気口２６が形成されている。
【００１４】
熱源４は、たとえば電灯からなり、筐体２の頂面部２３により支持されていて、筐体２内にて上下方向中心軸Ｘ上に配置されている。４１は、熱源のための電源コードである。
【００１５】
温度センサー６は、塗装板支持部１０により支持された各塗装板Ｐの外側に配置され、たとえば粘着テープ６１により塗装板Ｐの外側面に取り付けられる。温度センサー６と温度表示器８とは配線８１により接続されている。
【００１６】
以上のように、本実施形態の遮熱性能比較展示装置は、構成が簡単である。
【００１７】
本実施形態の遮熱性能比較展示装置の使用に際しては、先ず、遮熱性能の互いに異なる幾つかの塗料を塗布してなる塗装板（サンプル）Ｐを用意する。尚、塗装板Ｐと同等な形状及び寸法のダミー板を用意してもよい。
【００１８】
筐体２の頂面部２３に形成された４つのスリット２４のそれぞれを介して、上方から塗装板支持部１０に、４つの塗装板Ｐを挿入する。そのうちの１つを比較のための一般塗料塗装板とすることができ、残りを遮熱塗料塗装板とする。また、遮熱塗料塗装板のうちの１つ又は２つの代わりに、単に窓２５を閉じるためのダミー板を挿入してもよい。これにより、全ての窓２５が閉じられる。
【００１９】
次に、塗装板Ｐの外側（熱源４の方を向いた側とは反対の側）の面の中央部に、温度センサー６を配置し粘着テープ６１で取り付ける。塗装板Ｐの外側面は窓２５から露出しているので、温度センサー６の固定作業は容易である。
【００２０】
次に、不図示の電源により電源コード４１を介して熱源４を駆動し、該熱源４を発熱させる。筐体２は、通気口２６を除いて密閉されているので、熱源４から発せられた熱は、効率よく塗装板Ｐの加熱に利用される。
【００２１】
これにより、複数の塗装板Ｐにつき、温度センサー６で測定される温度を温度表示器８で表示することで、遮熱性能の比較展示がなされる。塗装板Ｐの外側面は窓２５から露出しているので、ここに塗装板Ｐの名称などを記載しておけば、容易に視認できる。ここで、熱源４は上下方向中心軸Ｘ上に配置されており、且つ複数の塗装板Ｐは上下方向中心軸Ｘ上に関して回転対称な位置にあるので、複数の塗装板Ｐにつき容易に均等な条件で遮熱性能を比較して展示することができる。
【００２２】
以上の実施形態では、筐体４の水平断面の形状が正方形であり、該正方形の各辺に対応して塗装板支持部１０が配置されているが、本発明はこれに限定されない。すなわち、本発明では、筐体の水平断面の形状が正三角形、正五角形、正六角形などの正多角形であって、該正多角形の少なくとも２つの辺に対応して塗装板支持部が配置されているものであってもよい。すなわち、本発明では、複数の塗装板支持部は、筐体の上下方向中心軸に関して３回以上の回転対称な位置のうちの少なくとも２つに塗装板を配置するものであればよい。
【図面の簡単な説明】
【００２３】
【図１】本発明による塗膜の遮熱性能比較展示装置の一実施形態を示す模式的斜視図である。
【図２】図１の遮熱性能比較展示装置の模式的縦断面図である。
【符号の説明】
【００２４】
２  筐体
２１  側面部
２２  底面部
２３  頂面部
２４  スリット
２５  窓
２６  通気口
４  熱源
４１  電源コード
６  温度センサー
６１  粘着テープ
８  温度表示器
８１  配線
１０  塗装板支持部
Ｘ  上下方向中心軸
Ｐ  塗装板
【図１】
0004783769.tif 000002
【図２】
0004783769.tif 000003